(57)【特許請求の範囲】
【請求項１】
継手本体は外周に形成した雄ねじ部の内側に接続管を外嵌する円筒状の案内部を設け、該案内部は外周面に溝孔を形成し、該溝孔に接続管の内周面に密着するシール部材を装着し、前記雄ねじ部に螺着する袋ナットと案内部の間にリングを介在させ、樹脂製の接続管を袋ナットの開口部から挿入し、リングが接続管の外周面を押圧することで継手本体に接続可能とした管継手において、前記案内部の外周にシール部材を覆うことのできるガイド環を外嵌し、該ガイド環は接続管を袋ナットの開口部から挿入すると、接続管の内周面と案内部の外周面に挟圧された状態で、シール部材の外周面を均一に押圧しながら案内部をスライドすることを特徴とする管継手。
【請求項２】
前記ガイド環は、案内部の外周面に外嵌する円筒部と、接続管の先端と当接する鍔部からなることを特徴とする請求項１記載の管継手。
【発明の詳細な説明】
【０００１】
【発明の属する技術分野】
本発明は、給水用，給湯用等の接続管を挿入するだけで接続することのできる管継手に関するものである。
【０００２】
【従来の技術】
従来、給水用，給湯用等の接続管を挿入するだけで接続することができ、しかも容易に抜けないようにした差し込み式の管継手として公知のものに図５及び図６のものがある。この図５及び図６について簡単に説明すると、管継手３０は接続管３８の挿入を許容するスリーブ３２を備えたソケット３１と、スリーブ３２の外周に形成した溝孔３３に装着されるシール部材３４と、前記ソケット３１の内側でスリーブ３２と向かい合う食い込み溝３６を形成したリング３５と、該リング３５を締め付けるキャップ３７とからなり、キャップ３７をソケット３１に螺合した後に接続管３８をスリーブ３２とキャップ３７の間に挿入すると、接続管３８の外周面にはリング３５の食い込み溝３６が食い込み固定されるものである。
【０００３】
上記のものにあっては、接続管をスリーブとキャップの間に挿入する際に、図７に示すようにスリーブの軸方向に対し接続管を傾いた状態で差し込んだり、図８に示すように先端面が垂直に切断されていない接続管を差し込むと、接続管の先端がシール部材の外周面をめくり上げてしまったり、シール部材に傷を付けたり切断したりして、シール不良を引き起こし漏水が発生するという問題があり、作業性及び信頼性に欠けるものであった。
【０００４】
【発明が解決しようとする課題】
本発明が解決しようとする課題は、給水用，給湯用等の接続管を挿入するだけで接続できる管継手において、接続管の挿入を円滑に行えるようにし、作業性及び止水性能を向上させることである。
【０００５】
【課題を解決するための手段】
本発明は請求項１では、継手本体は外周に形成した雄ねじ部の内側に接続管を外嵌する円筒状の案内部を設け、該案内部は外周面に溝孔を形成し、該溝孔に接続管の内周面に密着するシール部材を装着し、前記雄ねじ部に螺着する袋ナットと案内部の間にリングを介在させ、樹脂製の接続管を袋ナットの開口部から挿入し、リングが接続管の外周面を押圧することで継手本体に接続可能とした管継手において、前記案内部の外周にシール部材を覆うことのできるガイド環を外嵌し、該ガイド環は接続管を袋ナットの開口部から挿入すると、接続管の内周面と案内部の外周面に挟圧された状態で、シール部材の外周面を均一に押圧しながら案内部をスライドするものである。
【０００６】
請求項２では、前記ガイド環は、案内部の外周面に外嵌する円筒部と、接続管の先端と当接する鍔部からなるものである。
【０００７】
【発明の実施の形態】
以下、本発明の実施の形態を図に基づいて詳細に説明する。
本発明の管継手Ａは図１乃至図４に示すように、接続管２２が外嵌される略円筒状の案内部８を設けた継手本体１と、該継手本体１に螺着する袋ナット１４と、該袋ナット１４と継手本体１の間に配設されたリング１８及び前記案内部８に外嵌するガイド環１１とを備えている。
【０００８】
前記継手本体１は図１及び図２に示すように略円筒状で、内部軸方向に湯水が通過する通路２が貫通して形成されており、スパナ等の締付け工具が係止されるように、外周面を例えば六角形状にした工具係止部３の一端側外周に、他の継手に接続される連結部６が形成され、他端側外周に該連結部６よりやや大径の雄ねじ部７が形成されている。
【０００９】
前記雄ねじ部７の内周には、所定の間隔をおいて前記接続管２２より小径に形成した円筒状の案内部８が設けられている。該案内部８の先端は雄ねじ部７より前方に露出し、外周面の先端側には溝孔９，９が軸方向に併設して環状に形成され、該溝孔９，９には同一形状のシール部材１０，１０がそれぞれ装着されている。なお、溝孔及びシール部材は１つだけにしてもよいが、複数個の方が止水性能は向上する。
【００１０】
前記シール部材１０は接続管２２の内周面に付着した異物の捕捉と水漏れを防止するためのもので、ゴム等の弾性材からなり、ガイド環１１及び接続管２２が案内部８に外嵌されるとシール部材１０，１０は変形し、接続管２２の内周面に水密的に密着してシールが確実となるようにしている。
【００１１】
前記ガイド環１１は図４に示すように、前記案内部８の外周面に装着した一方のシール部材１０を覆うことのできる長さの円筒部１２と、案内部８の先端と向かい合う端縁に円筒部よりやや大径に形成した鍔部１３からなり、案内部８の外周にスライド自在に外嵌されるものである。そして図２に示すように、鍔部１３が接続管２２の端面に当接すると、円筒部１２の内周面はシール部材１０の外周面に密接し、さらに接続管２２を挿入すると図３に示すように鍔部１３は継手本体１のストッパー４に当接して停止するものである。
【００１２】
袋ナット１４は内周面入口に前記継手本体１の雄ねじ部７に螺着する雌ねじ部１５が形成され、該雌ねじ部１５の奥には接続管２２が挿入される開口部１７に向かうにつれて徐々に小径にしたテーパー面１６が形成されている。
【００１３】
リング１８は袋ナット１４のテーパー面１６の内側に挿入されるものであり、図４に示すように軸方向の一部にスリット１９を形成することで、縮径及び拡径が可能で、内周面には接続管２２を容易に挿入するためのテーパー面２０、及び接続管２２の外周面を押圧し食い込む凹凸状の食い込み溝２１を形成している。従ってリング１８は接続管２２の挿入時に拡径するので管継手Ａに容易に挿入させることができるが、接続管２２を管継手Ａから引き出そうとする力が加わるとリング１８は縮径し、食い込み溝２１が接続管２２の外周面に深く食い込み、引き出せないようにしている。
【００１４】
接続管２２はポリエチレン，ポリプロピレン等の樹脂製で、継手本体１の案内部８と袋ナット１４の間に形成される空間に挿入され案内部８に水密的に外嵌するものであり、継手本体１の工具係止部３には、接続管２２の先端が工具係止部３内周に設けたストッパー４に当たるまで挿入されているのかを、外部のどの方向からでも目視できるように、確認孔５を周面に同一間隔で複数個（本実施例では３個）穿設している。
【００１５】
本発明において接続管２２を管継手Ａに接続するには、まず袋ナット１４を内部にガイド環１１とリング１８を挿入した状態で、図１に示すように継手本体１の雄ねじ部７に螺着する。この時ガイド環１１は案内部８の先端に外嵌される。
【００１６】
次に図１の状態から接続管２２の先端を袋ナット１４の開口部１７から挿入し、継手本体１の案内部８に外嵌すると、図２に示すように接続管２２の内周面はガイド環１１の円筒部１２外周面に外嵌し、円筒部１２は接続管２２の内周面と案内部８の外周面に挟圧された状態となり、円筒部１２の内周面がシール部材１０の外周面全体を均一に押圧しつつシール部材１０を覆ってスライドする。なおこの時、接続管２２の先端面が垂直でなく傾斜状に切断されていたり、接続管２２を袋ナット１４の開口部１７に傾いた状態で挿入することがあっても、接続管２２はシール部材１０に当接しないでガイド環１１に外嵌し、ガイド環１１の円筒部１２内周面がシール部材１０の外周面全体を均一に押圧するので、接続管２２の先端でシール部材１０がめくり上がったり、傷が付くということはない。
【００１７】
さらに接続管２２を奥に挿入すると、ガイド環１１は鍔部１３が接続管２２の端面で押圧されて接続管２２と共に移動し、図３に示すようにガイド環１１の鍔部１３が継手本体１のストッパー４に当接したところで停止する。この時、接続管２２は継手本体１の案内部８とリング１８の間で挟着され、しかもリング１８のテーパー面２０が接続管２２の外周面を押圧し、食い込み溝２１が外周面に食い込み、接続管２２を案内部８の外周面に押圧しているのでシール部材１０のシールが確実で、袋ナット１４を緩めないと引き抜くことはできない。
【００１８】
また、万一接続管２２の内周面に異物が付着していても、継手本体１の案内部８に装着されている先端側のシール部材１０で異物を捕捉し、内側のシール部材１０で接続管２２とのシールを確実に行うことができる。
【００１９】
さらに工具係止部３の周面に穿設した確認孔５からは、接続管２２の先端が継手本体１のストッパー４に当接しているかを目視することができ、ストッパー４に当接していない場合は、確認孔５を目視しながら接続管２２をもう一度奥まで挿入すればよい。
【００２０】
このような管継手Ａにおいて、接続管２２を継手本体１から引き抜こうとしても、リング１８が袋ナット１４のテーパー面１６に沿って開口部１７に向けて移動すれば食い込み溝２１がさらに深く接続管２２の外周面に食い込み、しかもシール部材１０が接続管２２の内周面を押圧しているので、漏水したり引き抜くことはできない。
【００２１】
また、接続管２２を通過する水に異常に高い水圧が加わると接続管２２は膨張するが、シール部材１０が変形して接続管２２の内周面に確実に密着し、漏水することはない。
【００２２】
【発明の効果】
本発明では、継手本体は外周に形成した雄ねじ部の内側に接続管を外嵌する円筒状の案内部を設け、該案内部は外周面に溝孔を形成し、該溝孔に接続管の内周面に密着するシール部材を装着し、前記雄ねじ部に螺着する袋ナットと案内部の間にリングを介在させ、樹脂製の接続管を袋ナットの開口部から挿入し、リングが接続管の外周面を押圧することで継手本体に接続可能とした管継手において、前記案内部の外周にシール部材を覆うことのできるガイド環を外嵌し、該ガイド環は接続管を袋ナットの開口部から挿入すると、接続管の内周面と案内部の外周面に挟圧された状態で、シール部材の外周面を均一に押圧しながら案内部をスライドするので、接続管を袋ナットから継手本体に挿入する際に接続管の先端面が傾斜状に切断されていたり、接続管が傾いていても、ガイド環がシール部材の外周面を均一に押圧し、シール部材がめくれたりよじれることがなく、スムーズに挿入することができ、接続作業を迅速に行えるうえ、無理な接続に起因する漏水等の恐れを取り除くことができる。
【００２３】
従来の管継手の案内部にガイド環を外嵌するだけで、作業性及び信頼性を著しく向上させることができる。
【図面の簡単な説明】
【図１】管継手に接続管を接続する前の状態の縦断面図である。
【図２】管継手に接続管を接続する途中の状態の縦断面図である。
【図３】管継手に接続管を接続した状態の縦断面図である。
【図４】管継手の分解斜視図である。
【図５】従来の管継手に接続管を接続する途中の状態の縦断面図である。
【図６】従来の管継手に接続管を接続した状態の縦断面図である。
【図７】図５の接続管を傾いた状態で管継手に差し込んだ場合の説明図である。
【図８】図５の先端面が傾斜状に切断された接続管を管接手に差し込んだ場合の説明図である。
【符号の説明】
１                      継手本体
７                      雄ねじ部
８                      案内部
９                      溝孔
１０                    シール部材
１１                    ガイド環
１２                    円筒部
１３                    鍔部
１４                    袋ナット
１７                    開口部
１８                    リング
２２                    接続管
Ａ                      管継手
【図１】
0003600764.tif 000002
【図２】
0003600764.tif 000003
【図３】
0003600764.tif 000004
【図４】
0003600764.tif 000005
【図５】
0003600764.tif 000006
【図６】
0003600764.tif 000007
【図７】
0003600764.tif 000008
【図８】
0003600764.tif 000009